(57)【要約】【課題】均一性が高く気泡が小さい発泡体を製造可能な発泡体製造装置を提供する。提供する。【解決手段】発泡体製造装置１は、支持部材１１とドラム１２と混合羽根１３と振動装置１４とを有している。ドラム１２は、発泡体材料を投入して収容可能であって、支持部材１１に動力により回転可能に設けられている。混合羽根１３は、永久磁石、特にネオジム磁石から成り、ドラム１２の内壁に固定されている。振動装置１４は、動力によりドラム１２を振動させるようになっている。【選択図】図１
2020066701.tif 000002
【特許請求の範囲】
【請求項１】
発泡体材料を投入し収容するための回転可能なドラムと、
少なくとも一部が永久磁石から成り前記ドラムの内壁に設けられた混合羽根とを、
有することを特徴とする発泡体製造装置。
【請求項２】
前記ドラムを振動させる振動装置を有することを特徴とする請求項１記載の発泡体製造装置。
【請求項３】
発泡体材料を搬送するための回転可能なパイプと、
少なくとも一部が永久磁石から成り前記パイプの内壁に設けられた混合羽根とを、
有することを特徴とする発泡体製造装置。
【請求項４】
発泡体材料を搬送するための回転可能なパイプと、
前記パイプの内部に設けられた球状の永久磁石とを、
有することを特徴とする発泡体製造装置。
【請求項５】
発泡体材料を搬送するための回転可能なパイプと、
前記パイプの外側に設けられて前記パイプの内部に磁力を印加する磁石とを、
有することを特徴とする発泡体製造装置。
【請求項６】
前記パイプは円筒状であって、
前記磁石は１対の永久磁石から成り、前記パイプの直径を挟む両側に設けられて前記パイプの内部に同極の磁力を印加していることを、
特徴とする請求項５記載の発泡体製造装置。
【請求項７】
前記パイプを振動させる振動装置を有することを特徴とする請求項３〜６のいずれか１項に記載の発泡体製造装置。
【発明の詳細な説明】
【技術分野】
【０００１】
本発明は、発泡体製造装置に関する。
【背景技術】
【０００２】
発泡体製造装置として、タンクとミキサーとを備え、発泡合成樹脂形成用組成物をタンクに投入し、タンク内に投入された組成物をミキサーで泡立て混合するものが一般に知られている（例えば、特許文献１参照）。
【先行技術文献】
【特許文献】
【０００３】
【特許文献１】特開２００２−２２６５３７号公報
【発明の概要】
【発明が解決しようとする課題】
【０００４】
しかしながら、特許文献１に記載の発泡体製造装置では、製造される発泡体の気泡が大きく不均一になりやすいという課題があった。
【０００５】
本発明は、このような課題に着目してなされたもので、均一性が高く気泡が小さい発泡体を製造可能な発泡体製造装置を提供することを目的とする。
【課題を解決するための手段】
【０００６】
上記目的を達成するために、本発明に係る発泡体製造装置は、発泡体材料を投入し収容するための回転可能なドラムと、少なくとも一部が永久磁石から成り前記ドラムの内壁に設けられた混合羽根とを、有することを特徴とする。
本発明に係る発泡体製造装置は、混合羽根の少なくとも一部が永久磁石から成るため、気泡が小さく、均一性の高い発泡体を製造することができる。
【０００７】
本発明に係る発泡体製造装置は、前記ドラムを振動させる振動装置を有することが好ましい。
この場合、振動により、さらに気泡が小さく均一性の高い発泡体を製造することができる。
【０００８】
他の本発明に係る発泡体製造装置は、発泡体材料を搬送するための回転可能なパイプと、少なくとも一部が永久磁石から成り前記パイプの内壁に設けられた混合羽根とを、有することを特徴とする。
他の本発明に係る発泡体製造装置は、混合羽根の少なくとも一部が永久磁石から成るため、気泡が小さく均一性の高い発泡体を製造することができる。
【０００９】
他の本発明に係る発泡体製造装置は、発泡体材料を搬送するための回転可能なパイプと、前記パイプの内部に設けられた球状の永久磁石とを、有することを特徴とする。
他の本発明に係る発泡体製造装置は、パイプの内部に球状の永久磁石が設けられているため、気泡が小さく均一性の高い発泡体を製造することができる。
【００１０】
他の本発明に係る発泡体製造装置は、発泡体材料を搬送するための回転可能なパイプと、前記パイプの外側に設けられて前記パイプの内部に磁力を印加する磁石とを、有することを特徴とする。
他の本発明に係る発泡体製造装置は、磁石によりパイプの内部に磁力を印加するため、気泡が小さく均一性の高い発泡体を製造することができる。
他の本発明に係る発泡体製造装置において、前記パイプは円筒状であって、前記磁石は１対の永久磁石から成り、前記パイプの直径を挟む両側に設けられて前記パイプの内部に同極の磁力を印加していることが好ましい。
【００１１】
他の本発明に係る発泡体製造装置は、前記パイプを振動させる振動装置を有することが好ましい。
この場合、振動により、さらに気泡が小さく均一性の高い発泡体を製造することができる。
【００１２】
本発明において、発泡体材料としては発泡合成樹脂形成用組成物が好ましい。発泡体としては、発泡合成樹脂が好ましい。発泡合成樹脂としては、硬質ポリウレタンフォームを挙げることができ、硬質ポリウレタンフォーム、ウレタン変性硬質ポリイソシアヌレートフォーム、硬質ポリイソシアヌレートフォーム、その他の硬質フォームを挙げることができる。
【発明の効果】
【００１３】
本発明によれば、均一性が高く気泡が小さい発泡体を製造可能な発泡体製造装置を提供することができる。
【図面の簡単な説明】
【００１４】
【図１】本発明の実施の形態の発泡体製造装置を示す概略正面図である。
【図２】他の本発明の実施の形態の発泡体製造装置を示す（Ａ）概略側面図、（Ｂ）右側面図である。
【図３】他の本発明の実施の形態の発泡体製造装置を示す概略側面図である。
【図４】他の本発明の実施の形態の発泡体製造装置を示す（Ａ）概略側面図、（Ｂ）右側面図である。
【発明を実施するための形態】
【００１５】
以下、図面に基づき、本発明の各種実施の形態について説明する。
図１は、本発明の実施の形態の発泡体製造装置を示している。
図１に示すように、発泡体製造装置１は、支持部材１１とドラム１２と混合羽根１３と振動装置１４とを有している。ドラム１２は、発泡体材料を投入して収容可能であって、支持部材１１に動力により回転可能に設けられている。混合羽根１３は、永久磁石、特にネオジム磁石から成り、ドラム１２の内壁に固定されている。振動装置１４は、動力によりドラム１２を振動させるようになっている。振動装置１４は、例えば振動モーターから成る。
この発泡体製造装置１で硬質ポリウレタンフォームを製造するとき、ドラム１２に硬質ポリウレタンフォーム材料を投入し、ドラム１２を回転させる。混合羽根１３は永久磁石から成るため、回転撹拌により気泡が小さく、均一性の高い発泡体を製造することができる。また、振動により、さらに気泡が小さく均一性の高い発泡体を製造することができる。
【００１６】
図２（Ａ）、（Ｂ）は、他の本発明の実施の形態の発泡体製造装置を示している。
図２（Ａ）、（Ｂ）に示すように、発泡体製造装置２は、支持部材２１とパイプ２２と混合羽根２３と振動装置２４とを有している。パイプ２２は、発泡体材料を搬送可能な円筒から成り、支持部材２１に動力により回転可能に設けられている。混合羽根２３は、永久磁石、特にネオジム磁石から成り、パイプ２２の内壁に固定されている。振動装置２４は、動力によりパイプ２２を振動させるようになっている。振動装置２４は、例えば振動モーターから成る。
この発泡体製造装置２で硬質ポリウレタンフォームを製造するとき、パイプ２２に硬質ポリウレタンフォーム材料を投入し、パイプ２２を回転させる。混合羽根２３は永久磁石から成るため、回転撹拌により気泡が小さく均一性の高い発泡体を製造することができる。また、振動により、さらに気泡が小さく均一性の高い発泡体を製造することができる。
【００１７】
図３は、他の本発明の実施の形態の発泡体製造装置を示している。
図３に示すように、発泡体製造装置３は、支持部材３１とパイプ３２と複数の球状の永久磁石３３と振動装置３４とを有している。パイプ３２は、発泡体材料を搬送可能な円筒から成り、支持部材３１に動力により回転可能に設けられている。球状の永久磁石３３は、ネオジム磁石から成り、パイプ３２の内部に設けられている。振動装置３４は、動力によりパイプ３２を振動させるようになっている。振動装置３４は、例えば振動モーターから成る。
この発泡体製造装置３で硬質ポリウレタンフォームを製造するとき、パイプ３２に硬質ポリウレタンフォーム材料を投入し、パイプ３２を回転させる。パイプ３２の内部には球状の永久磁石３３が設けられているため、回転撹拌により気泡が小さく均一性の高い発泡体を製造することができる。また、振動により、さらに気泡が小さく均一性の高い発泡体を製造することができる。
【００１８】
図４（Ａ），（Ｂ）は、他の本発明の実施の形態の発泡体製造装置を示している。
図４（Ａ），（Ｂ）に示すように、発泡体製造装置４は、支持部材４１とパイプ４２と１対の永久磁石４３，４３と振動装置４４とを有している。パイプ４２は、発泡体材料を搬送可能な円筒から成り、支持部材４１に動力により回転可能に設けられている。各永久磁石４３，４３は、ネオジム磁石から成り、パイプ４２の直径を挟む両側に設けられてパイプ４２の内部に同極の磁力（例えばＮ極）を印加するようになっている。振動装置４４は、動力によりパイプ４２を振動させるようになっている。振動装置４４は、例えば振動モーターから成る。
【００１９】
この発泡体製造装置４で硬質ポリウレタンフォームを製造するとき、パイプ４２に硬質ポリウレタンフォーム材料を投入し、パイプ４２を回転させる。発泡体製造装置４は、永久磁石４３，４３によりパイプ４２の内部に磁力を印加するため、回転撹拌により気泡が小さく均一性の高い発泡体を製造することができる。また、振動により、さらに気泡が小さく均一性の高い発泡体を製造することができる。
【符号の説明】
【００２０】
１，２，３，４  発泡体製造装置
１１，２１，３１，４１  支持部材
１２  ドラム
１３，２３  混合羽根
１４，２４，３４，４４  振動装置
２２，３２，４２  パイプ
３３，４３  永久磁石
【図１】
2020066701.tif 000003
【図２】
2020066701.tif 000004
【図３】
2020066701.tif 000005
【図４】
2020066701.tif 000006